(57)【特許請求の範囲】
【請求項１】
建物開口部に設けられた開口部装置に備えられた鋼板ドアであって、
室内外面を形成する複数の板材である一対の鋼板と、
前記一対の鋼板の間に配置される板状の部材であるコア材と、
前記一対の鋼板の間で４辺の端部に配置され、前記一対の鋼板に連結される棒状の部材である芯材と、
前記一対の鋼板の間に配設され、その一部を前記一対の鋼板を貫いて室内及び室外に露出させて配置される施錠装置と、
前記施錠装置の下方に排水手段と、を備え、
前記芯材のうち鉛直である芯材が貫通孔を有し、
前記排水手段が、前記一対の鋼板の間に配置され当該一対の鋼板のそれぞれに両側面を接して取り付けられるとともに前記貫通孔の下部に近接した前記芯材に接して一端を取り付けられ、当該一端から他端へ向けて上方に傾く傾斜面を有し、さらに前記施錠装置の下方投影面の全部を含む長さを有する部材である排水部材を備え、
前記侵入した水等を前記排水部材の前記傾斜面で受けるとともに移動させ、前記貫通孔から外部へ排水することにより、前記施錠装置が前記一対の鋼板を貫いた部位から侵入した水等を前記排水手段により外部へ排出可能であることを特徴とする鋼板ドア。
【発明の詳細な説明】
【技術分野】
【０００１】
本発明は、住宅、オフィスビルや公共施設等の建物の開口部に設けられた開口部装置に備えられる鋼板ドアに関する。詳しくは、施錠装置が配置された部位から侵入した雨水等を円滑に外部に排出することのできる構造を有する鋼板ドアに関する。
【背景技術】
【０００２】
戸建、マンションや公共施設等の建物の開口部に設けられる開口部装置で、特に玄関等の室内外の出入りの際に利用されるドアには、鋼板ドアが用いられていることが多い。玄関等の室内外を通じる開口部装置は、その性質上、当然に各建物に１つ以上は必ず備えられる設備の１つである。従って、鋼板ドアに関してはその要望は様々で、多くの数量、及び種類が必要とされている。
【０００３】
従来において、鋼材ドアは次のような構造を有している。すなわち従来の鋼板ドアは、室内側面を形成する矩形板材である室内側鋼板と、室外側面を形成する矩形板材である室外側鋼板とを備えている。そしてこの室内側鋼板と室外側鋼板との間に厚板の部材であるコア材が配置される。また、室内側鋼板及び室外側鋼板の端部はその４辺がＬ字型に折り曲げられている。そして、この折り曲げられた４辺の端部に沿って内側にコの字型断面を有する棒材である芯材が、室内側鋼板の折り曲げ端部と室外側鋼板の折り曲げ端部とを渡すように配置される。さらに、室内側鋼板と芯材と、及び室外側鋼板と芯材とがリベット等によって連結される。
【０００４】
そして特に玄関等に使用される鋼板ドアには通常、施錠装置が備えられる。これは屋外と屋内とを連通する開口部に備えられる開口部装置において防犯機能を有し、様々な態様の施錠装置が鋼板ドアに取り付けられている。施錠装置は通常その内側に機構を備えているので、鋼板ドアの室内側及び室外側鋼板と一体に作られることはほとんどなく、別体として作られた施錠ユニットが鋼板ドアの組立の際に同時に取り付けられる方法で鋼板ドアに備えられる。これらの事項に関して開示している文献等は特にないが、当業者により通常に行われており、実際の鋼板ドアへの施錠装置を配置する際に適用されている。
【発明の開示】
【発明が解決しようとする課題】
【０００５】
しかし、施錠装置はその性質上室内側又は室外側から操作をする必要があり、その操作部が鋼板ドアの室内外に突出する形態で配置される。そしてかかる突出した操作部は鋼板ドアに設けられた孔を貫いて配設される。つまり鋼板ドアに施錠装置が取り付けられた状態においても、当該鋼板ドアの内外を連通する微小な通路が形成され、当該通路から雨水等が鋼板ドアの内側に侵入してしまう虞があった。そして侵入した水等が鋼板ドア内のコア材等を劣化させてしまうという問題があった。これは、鋼板ドアの耐用年数を短くする恐れがあるので問題となっていた。
【０００６】
そこで、本発明は上記問題に鑑みてなされたものであり、施錠装置が備えられる部位から内側に雨水等が侵入しても当該雨水等を排出することができ、劣化し難い鋼板ドアを提供することを課題とする。
【課題を解決するための手段】
【０００７】
発明者らは鋭意検討の結果、施錠装置の下方に排水手段が備えられた鋼板ドアを開発した。以下、本発明について説明する。なお、本発明の理解を容易にするために添付図面の参照符号を括弧書きにて付記するが、それにより本発明が図示の形態に限定されるものではない。
【０００８】
請求項１の発明は、建物開口部に設けられた開口部装置に備えられた鋼板ドア（３０）であって、室内外面を形成する複数の板材である一対の鋼板（４０、７０）と、一対の鋼板の間に配置される板状の部材であるコア材（６５）と、一対の鋼板の間で４辺の端部に配置され、一対の鋼板に連結される棒状の部材である芯材（５１、５２、５３、５４）と、一対の鋼板の間に配設され、その一部を一対の鋼板を貫いて室内及び室外に露出させて配置される施錠装置（２１）と、施錠装置の下方に排水手段（６１）と、を備え、芯材（５１、５２、５３、５４）のうち鉛直である芯材（５３）が貫通孔（５３ｂ）を有し、排水手段（６１）が、一対の鋼板（４０、７０）の間に配置され当該一対の鋼板のそれぞれに両側面（６１ｃ、６１ｄ）を接して取り付けられるとともに貫通孔の下部に近接した芯材に接して一端（６１ｆ）を取り付けられ、当該一端から他端（６１ｅ）へ向けて上方に傾く傾斜面（６１ａ）を有し、さらに施錠装置（２１）の下方投影面の全部を含む長さを有する部材である排水部材を備え、侵入した水等を排水部材の傾斜面で受けるとともに移動させ、貫通孔から外部へ排水することにより、施錠装置が一対の鋼板を貫いた部位から侵入した水等を排水手段により外部へ排出可能であることを特徴とする鋼板ドアを提供することにより前記課題を解決する。
【発明の効果】
【００１０】
請求項１の発明によれば、施錠装置の操作部である例えばシリンダー錠と室外側鋼板との間から雨水等が浸入した場合にも適切に当該雨水等を鋼板ドアの外に排出することができる。これにより、例えば侵入した水によるコア材と室内外鋼板との接着材の劣化による剥離、寒冷地において侵入した水の凍結によるコア材及び鋼板の劣化、さらには耐水性を有さないコア材の水による劣化等の鋼板ドア内側における水による様々な種類の劣化を防止することができ、耐用年数の長い鋼板ドアを提供することが可能になる。また所定の条件を満たせば、鋼板ドアに使用するコア材の選定の際に安価な耐水性の低いコア材を利用することができる場合もあり、これによりコスト低減が可能な利用者にとって利得の高い鋼板ドアを提供することもできる。
【００１１】
また、非常に簡易な構造で排水手段を構成することができ、安価でかつ効果の高い排水部材を備えた鋼板ドアとなる。これにより利用者にとってさらに利得の高い鋼板ドアを提供することができる。
【００１２】
本発明のこのような作用及び利得は、次に説明する発明を実施するための最良の形態から明らかにされる。
【発明を実施するための最良の形態】
【００１３】
以下本発明を図面に示す実施形態に基づき説明する。
【００１４】
図１は第一実施形態にかかる本発明の鋼板ドア３０が備えられた開口部装置１を室外側から見た正面図である。開口部装置１は、建物開口部の４辺に沿って取り付けられた枠材１１、１２、１３、１４によって形成された枠体１０と、当該枠体１０の内側に配置される鋼板ドア３０とを備えている。鋼板ドア３０は、室外視で施錠装置２１と把手２２とを備えている。鋼板ドア３０の構造については後で詳しく説明する。
【００１５】
以上のような開口部装置１により、使用者は鋼板ドア３０を把手２２を掴んで例えば室外側に回動させて建物開口部からの出入りをすることが可能となる。また、施錠装置２１により鋼板ドア３０の開閉を禁止することができ、室内外の出入りを禁止して防犯が可能となる。図１では、開口部装置１の室外視正面図を示したが、室内側においても、施錠装置２１の操作が可能であるとともに室内側把手も備えられて鋼板ドア３０の操作ができるようにされている。
【００１６】
次に鋼板ドア３０の構造について説明する。図２は、鋼板ドア３０の分解斜視図である。図２では紙面左が室内側、紙面右が室外側を示している。鋼板ドア３０は、室内側鋼板４０と、芯材５１、５２、５３、５４と、ロック部芯材６０と、排水部材６１と、施錠装置２１と、コア材６５と、室外側鋼板７０とを主要部材として備えている。この他にも図１で示した把手２２等の部材が備えられるがここでは省略する。室内側鋼板４０及び室外側鋼板７０は、４辺の端部がＬ字型に折り曲げられる端部加工が施されており、上端折り曲げ部４１、７１と、下端折り曲げ部４２、７２と、左端折り曲げ部４３、７３と、右端折り曲げ部４４、７４とを有している。このように板材の４辺を平面部４５、７５に対して直交するように起立させることにより浅い箱体が形成される。後述するように当該箱体とされた室内側鋼板４０及び室外側鋼板７０の内側に各部材が配置される。各部材の配置は後で説明する。また、左端折り曲げ部４３、７３の施錠装置２１が備えられる部位は、当該施錠装置２１のデッドボルト等が突没できるように切り欠かれ、平面部４５、７５の施錠装置２１のサムターンやシリンダー錠等の操作部が配置される部位には孔４６、７６が開けられている。
【００１７】
芯材５１、５２、５３、５４はコの字型断面を有する棒状の部材で鋼板ドア３０の４辺の端部に沿って配置される。このとき芯材５１、５２、５４は、コの字断面における開口部が鋼板ドア３０の内側に向く姿勢とされ、芯材５３はコの字断面における開口部が鋼板ドア３０の外側に向く姿勢とされる。また施錠装置２１が取り付けられる芯材５３には、当該施錠装置２１のデッドボルト等が突没可能なように孔５３ａが、排水部材６１の備えられる部位には孔５３ｂがそれぞれ設けられる。施錠装置２１と、後述するロック部芯材６０と、孔５３ａ、５３ｂとの位置関係は後に説明する。
【００１８】
施錠装置２１は、施錠機構を有する箱体２１ｃと、当該箱体から室内外方向のそれぞれに突出して配置される一対の操作部２１ａ、２１ｂ（２１ｂは図２では死角となり見えない。）とからなる。操作部２１ａ、２１ｂは、室外側の操作部２１ａにはシリンダー錠が、及び室内側の操作部にはサムターンが備えられる。操作部２１ａ、２１ｂが室内外に露出して配置されることにより使用者はこの操作部２１ａ、２１ｂを操作することができ、施解錠が可能となる。また、施錠装置２１には、この他にも通常の施錠装置が備えているデッドボルト等も備えられている。
【００１９】
ロック部芯材６０は、コの字型の断面を有する部材で対向する面を鉛直に室内側鋼板４０の平面部４５及び室外側鋼板の平面部７５に平行の姿勢で、コの字型の断面における開口部分を外側に向けて配置される。従って、ロック部芯材６０は、上部、下部及び室外視左端部に開口部分を有している。また、コの字型の断面における対向する面には室内外方向に貫通した孔６０ａ、６０ａが設けられ、当該孔６０ａ、６０ａには施錠装置２１の操作部２１ａ、２１ｂが通されて配置される。
【００２０】
排水部材６１は斜行面を有する６面体の部材で、ロック部芯材６０の下方に配置される。排水部材６１の形状等は後で詳しく説明する。
【００２１】
コア材６５は、板状の部材で鋼板ドア３０の内側を満たすように配置される。従って、鋼板ドア３０の内側に備えられる他の部材に合わせてカットされたり変形されたりしている。コア材６５は、主に断熱性や防火性を有する材質が適用される。さらには、上述したように本発明の鋼板ドア３０では、雨水等の浸入を防ぐことができるので、凍結や水に対して耐用性の低い材料を選択することも可能である。従って、従来よりも多くの選択肢から材質を選定することが可能となり、環境条件等に応じたあらゆる材質のコア材を適用することができる。コア材として好適に使用される材質として例えばペーパーハニカム、ＥＰＳ又はウレタン等を挙げることができる。
【００２２】
このような構成を有する鋼板ドア３０の各要素は例えば次に示すように組み立てられる。
まず、芯材５３の孔５３ａ、５３ｂに合わせて、施錠装置２１が挿入されたロック部芯材６０及び排水部材６１が芯材５３に取り付けられる。このとき、施錠装置２１の操作部２１ａ、２１ｂは、ロック部芯材６０の貫通孔６０ａ、６０ａを貫通して取り付けられる。次に、かかる芯材５３が室内側鋼板４０の箱体とされた内側で左端折り曲げ部４３の内側に接して載置される。このとき芯材５３はコの字断面における開口部分を鋼板ドア３０の外側に向けて配置される。また、上述ようにロック部芯材６０から突出して配置されている施錠装置２１の操作部２１ｂは室内側鋼板４０の貫通孔４６を貫通して室内側に突出して配設される。同様に室内側鋼板４０の箱体とされた内側で右端折り曲げ部４４の内側に接して芯材５４がコの字断面における開口部分を左端折り曲げ部４３に向けて載置される。さらに芯材５１が上端折り曲げ部４１に、芯材５２が下端折り曲げ部４２に接して載置される。このとき芯材５１と芯材５２とは、互いにコの字型断面における開口部分を向かい合わせる向きで配置される。
【００２３】
次に芯材５１、５２、５３、５４で囲まれた内側にコア材６５を配置する。そして上記組み立てられた各部材の室外側から室外側鋼板７０を被せるように載置する。このとき施錠装置２１の操作部２１ａは室外側鋼板７０の貫通孔７６を貫通して室外側に露出して配置される。また、組み立ての際にコア材６５と室内側鋼板４０と、及びコア材６５と室外側鋼板７０とは接着材により接着される。そして上端折り曲げ端部４１、７１、下端折り曲げ端部４２、７２、左端折り曲げ端部４３、７３及び右端折り曲げ端部４４、７４、は、その外側からリベット等により芯材５１、５２、５３、５４に連結される。詳しくは、上端折り曲げ端部４１、７１は芯材５１に、下端折り曲げ端部４２、７２は芯材５２に、左端折り曲げ端部４３、７３は芯材５３に、右端折り曲げ端部４４、７４は芯材５４に、それぞれ連結される。これにより室内側鋼板４０と室外側鋼板７０とは、コア材６５及び芯材５１、５２を介して連結される。
【００２４】
次に上述のように組み立てられた鋼板ドア３０のロック部芯材６０及び排水部材６１が取り付けられた部位について説明する。図３は、鋼板ドア３０の室外視正面図で、理解容易のために室外側鋼板７０は取り外して示している。図３で示したように鋼板ドア３０の全体を見た場合、ロック部芯材６０及び排水部材６１は鋼板ドア３０の左端略中央より下、つまりは施錠装置２１が取り付けられている部位に配置される。さらに詳しく説明する。図４は鋼板ドア３０の斜視図である。理解容易のため室内側鋼板４０、室外側鋼板７０及びコア材６５は取り外して示している。図４では紙面左が室内側、紙面右が室外側である。図４に示したようにロック部芯材６０は、コの字型の断面を有し、当該コの字型の断面における開口部分を芯材５３の孔５３ａに合わせて取り付けられている。従って、図４に示したようにロック部芯材６０の内側に施錠装置２１が配置されたとき、当該施錠装置２１のデッドボルト２１ｄやラッチボルト２１ｅがロック部芯材６０の開口部及び孔５３ａを通じて鋼板ドア３０に対し突没することができるようになる。また、ロック部芯材６０の対向する２つの面は室内側又は室外側に面して配置され、当該２つの面には貫通孔６０ａ、６０ａ（室内側の貫通孔６０ａは図４では死角となり見えない。）が設けられている。これによりロック部芯材６０の内側に施錠装置２１が配設されたときに、貫通孔６０ａ、６０ａを通じて、当該施錠装置２１の操作部２１ａ、２１ｂであるサムターンやシリンダー錠等が室内側、室外側に突出して配置可能となる。
【００２５】
排水部材６１は、棒状の６面体の部材である。図５は、排水部材６１の（ａ）が側面図、（ｂ）が上面図である。排水部材６１については図４及び図５を参照しつつ説明する。図５に示したように排水部材６１は、上面６１ａ、下面６１ｂ、側面６１ｃ、６１ｄ、端面６１ｅ、６１ｆを備える六面体である。そのうち、端面６１ｅ及び端面６１ｆは上面６１ａ、及び下面６１ｂに対して図５にＡで示した角度を有する面である。また、排水部材６１の図５（ｂ）にＢで示した幅は、室内側鋼板４０の平面部４５と室外側鋼板７０の平板部７５との間隔に略等しい。さらに排水部材６１の図５（ｂ）にＣで示した長さは、後述のようにロック部芯材６０の下方投影面の全部を含むようにされている。
【００２６】
このような形状を有する排水部材６１は図４に示したように配置される。すなわち、排水部材６１の端面６１ｆを芯材５３の内側面に沿って取り付ける。このとき、端面６１ｆの上端の縁（上面６１ａと交差する縁）を芯材５３の孔５３ｂの下縁に一致するように配置して取り付ける。次に、上述のように端面６１ｆを芯材５３に取り付けることにより鋼板ドア３０の内側に向かって延設された排水部材上面６１ａの１つの部位を、ロック部芯材６０の下端で最も鋼板ドア３０の内側に位置する部位に接して取り付ける。このとき排水部材６１は、図５（ａ）にＡで示した角度を有することにより、当該角度の分だけ傾斜して配置される。従って、図５（ａ)及び（ｂ）にＡで示した角度、及びＣで示した長さは、上述の配置が可能となるように決められる。すなわち、排水部材６１は、施錠装置２１に面した上面２１ａが芯材５３に近づくとももに低くなるような傾斜を有し、かつ施錠装置２１の下方投影面の全部を含む長さを有する部材である。
【００２７】
また、側面６１ｃ、６１ｄは、室外側鋼板７０の平面部７５及び室内側鋼板４０の平面部４５のそれぞれに接して取り付けられる。これは、図５（ｂ）にＢで示した幅が、上述したように、室内側鋼板４０の平面部４５と室外側鋼板７０の平板部７５との間隔に略等しいことにより可能となる。以上より、排水部材６１の両側面６１ｃ、６１ｄは室内側鋼板４０及び室外側鋼板７０のそれぞれに沿って接して取り付けられ、端面６１ｆは芯材５３に接して取り付けられている。
【００２８】
次に、排水部材６１による排水のされ方を説明する。図６はロック部芯材６０及び排水部材６１の周辺に着目して示した室外視正面図である。理解容易のため室外側鋼板７０は省略している。ロック部芯材６０の内側に配置され、当該ロック部芯材６０の孔６０ａの内側から貫いて配置された施錠装置２１のシリンダー錠２１ａと、孔６０ａとの間の隙間から図６にＤで示した例えば雨水が侵入する。侵入した水滴は重力によりロック部芯材６０の内側を伝わって下方に移動する。そしてロック部芯材６０の下端に達した後、当該ロック部芯材６０から離脱して排水部材６１の上面６１ａの上に落ちる。さらに水滴は上面６１ａが傾斜していることにより、上面２１ａに沿って下降して芯材５３の孔５３ｂに達する。そして当該孔５３ｂから鋼板ドア３０の外に排水される。
【００２９】
このとき、排水部材６１の側面６１ｃ、６１ｄはそれぞれ室内側鋼板４０又は室外側鋼板７０に接して取り付けられているので、水滴が側面６１ｃ、６１ｄを伝って鋼板ドア３０の内側に侵入することはない。また、排水部材６１の端面６１ｆは芯材５３と接して取り付けられているので端面６１ｆと芯材５３との間に水滴が侵入して鋼板ドア３０の内側にはいることもない。これにより水滴は確実に上面６１ａを伝って孔５３ｂから鋼板ドア３０の外側に排出される。
【００３０】
このような水滴の排出により、例えば侵入した水によるコア材と室内外鋼板との接着材の劣化による剥離、寒冷地において侵入した水の凍結によるコア材及び鋼板の劣化、さらには耐水性を有さないコア材の水による劣化等の鋼板ドア内側における水による様々な種類の劣化を防止することができ、耐用年数の長い鋼板ドアを提供することが可能になる。また、雨水等の浸入を防ぐことができるので、凍結や水に対して耐用性の低い材料を選択することも可能である。従って、従来よりも多くの選択肢から材質を選定することが可能となり、環境条件等に応じたあらゆる材質のコア材を適用することができる。よって、所定の条件を満たせば、鋼板ドアに使用するコア材の選定の際に安価な耐水性の低いコア材を利用することができる場合もあり、これによりコスト低減が可能な利用者にとって利得の高い鋼板ドアを提供することもできる。
【００３１】
図７は第二実施形態にかかる本発明の鋼板ドア１３０が備える排水部材１６１、１６２、１６３周辺に注目して示した斜視図である。図７は、第一実施形態にかかる本発明の鋼板ドア３０を示した図４と同じ視点から示した図である。従って図７では、室外側鋼板、室内側鋼板、及びコア材を省略して示している。また紙面左が室内側、紙面右が室外側である。鋼板ドア１３０は、コの字型断面における開口部を鋼板ドア１３０の内側に向けて配置された芯材１５３と、排水部材１６１、１６２、１６３を備えている。排水部材１６１、１６２、１６３は、３つの部材でコの字型を形成した部材で、該コの字型の内側にロック部芯材１６０を配置している。当該３つの部材は、個々に配置されてもよく、または、一体に形成されて配置されてもよい。従って排水部材６１と異なり、ロック部芯材１６０を囲むように配置されている。これによりコア材とロック部芯材１６０とが接触する部位が完全になくなり、さらに防水性、排水性の良い鋼板ドア１３０を提供することが可能となる。
【００３２】
また、第二実施形態の変形例として、ロック部芯材１６０がなく、室内外の鋼板及び芯材に直接施錠装置が取り付けられてもよい。この場合にも、施錠装置のいずれかの部位から雨水が浸入しても排水部材によって適切に排水され、劣化し難い鋼板ドアを提供することができる。
【００３３】
以上、現時点において、最も、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う鋼板ドアもまた本発明の技術的範囲に包含されるものとして理解されなければならない。
【図面の簡単な説明】
【００３４】
【図１】第一実施形態にかかる本発明の鋼板ドアを備えた開口部装置を室外側から見た正面図である。
【図２】図１に示した鋼板ドアが備える主要部材を示す分解斜視図である。
【図３】鋼板ドアの室外視正面図で室外側及び室内側鋼板を取り除いて示した図である。
【図４】施錠装置が取り付けられる部位及び排水部材に注目して示した鋼板ドアの斜視図で、室内側及び室外側鋼板を取り除いて示した図である。
【図５】排水部材の側面図（ａ）及び上面図（ｂ）である。
【図６】侵入した水の排水までの移動を模式的に示した図である。
【図７】第二実施形態にかかる鋼板ドアで施錠装置が取り付けられる部位及び排水部材に注目して示し、室内側及び室外側鋼板を取り除いて示した斜視図である。
【符号の説明】
【００３５】
１  開口部装置
１０  枠体
２１  施錠装置
２２  把手
３０  鋼板ドア
４０  室内側鋼板
４６  貫通孔
５１  芯材
５２  芯材
５３  芯材
５３ａ  貫通孔
５３ｂ  貫通孔
５４  芯材
６０  ロック部芯材
６０ａ  貫通孔
６１  排水部材
６１ａ  上面
６１ｂ  下面
６１ｃ  側面
６１ｄ  側面
６１ｅ  端面
６１ｆ  端面
６５  コア材
７０  室外側鋼板
７６  貫通孔
【図１】
0004799081.tif 000002
【図２】
0004799081.tif 000003
【図３】
0004799081.tif 000004
【図４】
0004799081.tif 000005
【図５】
0004799081.tif 000006
【図６】
0004799081.tif 000007
【図７】
0004799081.tif 000008